(57)【特許請求の範囲】
【請求項１】
エレベータ乗り場の出入口又は乗りかごの出入口に設置されるエレベータのドア装置において、
下端部側に被取付部材を有し、前記エレベータ乗り場の出入口又は前記乗りかごの出入口を開閉するドアパネルと、
前記ドアパネルの下方に設けられ、上面に前記ドアパネルの開閉方向へ延びたシル溝が形成されたシルと、
前記ドアパネルの前記被取付部材に設けられ、前記ドアパネルの下端部を前記開閉方向へ案内するガイドシューと、を具備し、
前記ガイドシューは、
前記ドアパネルの前記被取付部材に取付具によって取付可能であって、前記シル溝の溝幅方向へ延びかつ前記取付具を挿通させるための長穴が形成され、上下方向へ延びかつ前記開閉方向に離隔した棒状の一対のシュー支持部材を有し、各シュー支持部材がその軸周り回転調節可能に構成されたシュー取付部材と、
各シュー支持部材の下端部の少なくとも片側に設けられ、前記シル溝内に前記開閉方向へ摺動可能に嵌合し、前記シル溝の壁面に平行に対向可能な側面を有したシュー本体と、を備え、
前記シュー取付部材は、前記ドアパネルの前記被取付部材に固定する前、前記長穴と前記取付具との間における前記長穴の短手方向の隙間を利用して、前記溝幅方向へ移動しつつ水平方向へ揺動可能に構成されていることを特徴とするエレベータのドア装置。
【請求項２】
エレベータ乗り場の出入口又は乗りかごの出入口に設置されるエレベータのドア装置において、
下端部側に被取付部材を有し、前記エレベータ乗り場の出入口又は前記乗りかごの出入口を開閉するドアパネルと、
前記ドアパネルの下方に設けられ、上面に前記ドアパネルの開閉方向へ延びたシル溝が形成されたシルと、
前記ドアパネルの前記被取付部材に設けられ、前記ドアパネルの下端部を前記開閉方向へ案内するガイドシューと、を具備し、
前記ガイドシューは、
前記ドアパネルの前記被取付部材に取付具によって取付可能であって、前記取付具を挿通させるための丸穴が形成され、上下方向へ延びかつ前記開閉方向に離隔した棒状の一対のシュー支持部材を有し、各シュー支持部材がその軸周り回転調節可能に構成されたシュー取付部材と、
各シュー支持部材の下端部の少なくとも片側に設けられ、前記シル溝内に前記開閉方向へ摺動可能に嵌合し、前記シル溝の壁面に平行に対向可能な側面を有したシュー本体と、を備え、
前記シュー取付部材は、前記ドアパネルの前記被取付部材に固定する前、前記丸穴と前記取付具との間における前記丸穴の径方向の隙間を利用して、前記シル溝の溝幅方向へ移動しつつ前記取付具の周りを回転可能に構成されていることを特徴とするエレベータのドア装置。
【請求項３】
各シュー支持部材の下端部の両側に、前記シュー本体が設けられていることを特徴とする請求項１又は請求項２に記載のエレベータのドア装置。
【請求項４】
エレベータ乗り場の出入口又は乗りかごの出入口に設置されるエレベータのドア装置において、
下端部側に被取付部材を有し、前記エレベータ乗り場の出入口又は前記乗りかごの出入口を開閉するドアパネルと、
前記ドアパネルの下方に設けられ、上面に前記ドアパネルの開閉方向へ延びたシル溝が形成されたシルと、
前記ドアパネルの前記被取付部材に設けられ、前記ドアパネルの下端部を前記開閉方向へ案内するガイドシューと、を具備し、
前記ガイドシューは、
前記ドアパネルの前記被取付部材に取付具によって取付可能であって、前記シル溝の溝幅方向へ延びかつ前記取付具を挿通させるための長穴が形成され、上下方向へ延びたシュー支持部を有したシュー取付部材と、
前記シュー支持部の下端部に設けられ、前記シル溝内に前記開閉方向へ摺動可能に嵌合したシュー本体と、を備え、
前記シュー取付部材は、前記ドアパネルの前記被取付部材に固定する前、前記長穴と前記取付具との間における前記長穴の短手方向の隙間を利用して、前記溝幅方向へ移動しつつ水平方向へ揺動可能に構成され、
前記ドアパネルの前記被取付部材の被取付面は、水平方向に対して傾斜しており、前記ドアパネルの前記被取付部材に、前記開閉方向へ延びたガイド長穴が形成され、前記シュー取付部材の取付面は、水平方向に対して傾斜しており、前記取付具は、前記ガイド長穴に前記開閉方向へ移動可能に支持されていることを特徴とするエレベータのドア装置。
【請求項５】
エレベータ乗り場の出入口又は乗りかごの出入口に設置されるエレベータのドア装置において、
下端部側に被取付部材を有し、前記エレベータ乗り場の出入口又は前記乗りかごの出入口を開閉するドアパネルと、
前記ドアパネルの下方に設けられ、上面に前記ドアパネルの開閉方向へ延びたシル溝が形成されたシルと、
前記ドアパネルの前記被取付部材に設けられ、前記ドアパネルの下端部を前記開閉方向へ案内するガイドシューと、を具備し、
前記ガイドシューは、
前記ドアパネルの前記被取付部材に取付具によって取付可能であって、前記取付具を挿通させるための丸穴が形成され、上下方向へ延びたシュー支持部を有したシュー取付部材と、
前記シュー支持部の下端部に設けられ、前記シル溝内に前記開閉方向へ摺動可能に嵌合したシュー本体と、を備え、
前記シュー取付部材は、前記ドアパネルの前記被取付部材に固定する前、前記丸穴と前記取付具との間における前記丸穴の径方向の隙間を利用して、前記シル溝の溝幅方向へ移動しつつ前記取付具の周りを回転可能に構成され、
前記ドアパネルの前記被取付部材の被取付面は、水平方向に対して傾斜しており、前記ドアパネルの前記被取付部材に、前記開閉方向へ延びたガイド長穴が形成され、前記シュー取付部材の取付面は、水平方向に対して傾斜しており、前記取付具は、前記ガイド長穴に前記開閉方向へ移動可能に支持されていることを特徴とするエレベータのドア装置。
【発明の詳細な説明】
【技術分野】
【０００１】
本発明の実施形態は、エレベータのドア装置に関する。
【背景技術】
【０００２】
エレベータのドア装置は、建屋の各階のエレベータ乗り場の出入口に設置されるホールドア装置と、建屋の昇降路内を昇降する乗りかごの出入口に設置されるかごドア装置とから成る。乗りかごが所定の階のエレベータ乗り場に着床すると、着床階のホールドア装置とかごドア装置とが互いに連動して開くことにより、エレベータ乗り場と乗りかごとの間で乗客の乗り降りが可能になる。
【０００３】
エレベータのドア装置は、エレベータ乗り場の出入口又は乗りかごの出入口に固定されたドアレールと、ドアレールに懸架されたドアパネルと、ドアパネルの下方に設けられ、上面にドアパネルの開閉方向（ドアパネルのドア幅方向）へ延びたシル溝が形成されたシルとから概略構成されている。
【０００４】
また、ドアパネルの下端部には、ドアを開閉方向へ案内する複数のガイドシューが開閉方向に間隔を置いて設けられている。各ガイドシューは、ドアパネルの下端部に設けられた被取付部材に止めネジ等の取付具によって取り付けられている。
【０００５】
ところで、例えば、既設のシルを利用しながらエレベータのドア装置をリニューアルする場合には、ガイドシューのガタツキ音の発生等を防止するために、シュー本体の嵌合幅（シュー本体における嵌合する部分のシル溝の溝幅方向の長さ）の寸法をシル溝の溝幅の寸法に応じた寸法にして、シュー本体をシル溝内に適切に嵌合させる必要がある。一方、シル溝の溝幅の寸法は様々であり、シル溝の溝幅の寸法に応じた寸法の嵌合幅のシュー本体を作製しようとすると、エレベータのドア装置のリニューアルコストが増大する。
【０００６】
そこで、エレベータのドア装置のリニューアルコストの低減を図るために、シュー本体の嵌合幅を調節可能なエレベータのドア装置が開発されている（特許文献１参照）。
【先行技術文献】
【特許文献】
【０００７】
【特許文献１】特開２００４−２４４１５５号公報
【発明の概要】
【発明が解決しようとする課題】
【０００８】
しかし、従来のエレベータのドア装置においては、一対のシュー取付部材を備える他に、一対のシュー取付部材の間に一対の楔部材を介在させる等、ガイドシューの部品点数が増加して、エレベータのドア装置の構成が複雑化するという問題がある。また、シュー本体の嵌合幅の調節作業に多くの時間を要するという問題がある。
【０００９】
本発明の目的は、ガイドシューの部品点数の増加を抑えつつ、シュー本体の嵌合幅を簡単に調節することができる、新規な構成のエレベータのドア装置を提供することにある。
【課題を解決するための手段】
【００１０】
上記目的を達成するために本発明の実施形態は、エレベータ乗り場の出入口又は乗りかごの出入口に設置されるエレベータのドア装置において、下端部側に被取付部材を有し、前記エレベータ乗り場の出入口又は前記乗りかごの出入口を開閉するドアパネルと、前記ドアパネルの下方に設けられ、上面に前記ドアパネルの開閉方向へ延びたシル溝が形成されたシルと、前記ドアパネルの前記被取付部材に設けられ、前記ドアパネルの下端部を前記開閉方向へ案内するガイドシューと、を具備し、前記ガイドシューは、前記ドアパネルの前記被取付部材に取付具によって取付可能であって、前記シル溝の溝幅方向へ延びかつ前記取付具を挿通させるための長穴が形成され、上下方向へ延びかつ前記開閉方向に離隔した棒状の一対のシュー支持部材を有し、各シュー支持部材がその軸周り回転調節可能に構成されたシュー取付部材と、各シュー支持部材の下端部の少なくとも片側に設けられ、前記シル溝内に前記開閉方向へ摺動可能に嵌合し、前記シル溝の壁面に平行に対向可能な側面を有したシュー本体と、を備え、前記シュー取付部材は、前記ドアパネルの前記被取付部材に固定する前、前記長穴と前記取付具との間における前記長穴の短手方向の隙間を利用して、前記溝幅方向へ移動しつつ水平方向へ揺動可能に構成されていることを特徴としている。
【００１１】
本発明の他の実施形態は、エレベータ乗り場の出入口又は乗りかごの出入口に設置されるエレベータのドア装置において、下端部側に被取付部材を有し、前記エレベータ乗り場の出入口又は前記乗りかごの出入口を開閉するドアパネルと、前記ドアパネルの下方に設けられ、上面に前記ドアパネルの開閉方向へ延びたシル溝が形成されたシルと、前記ドアパネルの前記被取付部材に設けられ、前記ドアパネルの下端部を前記開閉方向へ案内するガイドシューと、を具備し、前記ガイドシューは、前記ドアパネルの前記被取付部材に取付具によって取付可能であって、前記取付具を挿通させるための丸穴が形成され、上下方向へ延びかつ前記開閉方向に離隔した棒状の一対のシュー支持部材を有し、各シュー支持部材がその軸周り回転調節可能に構成されたシュー取付部材と、各シュー支持部材の下端部の少なくとも片側に設けられ、前記シル溝内に前記開閉方向へ摺動可能に嵌合し、前記シル溝の壁面に平行に対向可能な側面を有したシュー本体と、を備え、前記シュー取付部材は、前記ドアパネルの前記被取付部材に固定する前、前記丸穴と前記取付具との間における前記丸穴の径方向の隙間を利用して、前記シル溝の溝幅方向へ移動しつつ前記取付具の周りを回転可能に構成されていることを特徴としている。
【００１２】
ここで、「エレベータのドア装置」とは、エレベータ乗り場の出入口に設置されるホールドア装置、及び乗りかごの出入口に設置されるかごドア装置を含む意である。「設けられ」とは、直接的に設けられたことの他に、別部材を介して間接的に設けられたことを含む意である。「取付具」とは、止めネジ、取付ボルト、及びリベット等を含む意である。
【図面の簡単な説明】
【００１３】
【図１】本発明の実施形態１に係るエレベータのドア装置の一部の斜視図。
【図２】本発明の実施形態１に係るエレベータのドア装置の一部の側断面図。
【図３】（ａ）（ｂ）は図２におけるI-I線に沿った断面図、（ａ）はシュー本体の嵌合幅を最小の嵌合幅に調節した場合、（ｂ）はシュー本体の嵌合幅を最大の嵌合幅に調節した場合を示す。
【図４】本発明の実施形態２に係るエレベータのドア装置の一部の側断面図。
【図５】（ａ）（ｂ）は図４におけるII-II線に沿った断面図、（ａ）はシュー本体の嵌合幅を最小の嵌合幅に調節した場合、（ｂ）はシュー本体の嵌合幅を最大の嵌合幅に調節した場合を示す。
【図６】本発明の実施形態３に係るエレベータのドア装置の一部の側断面図。
【図７】（ａ）（ｂ）は図６におけるIII-III線に沿った断面図、（ａ）はシュー本体の嵌合幅を最小の嵌合幅に調節した場合、（ｂ）はシュー本体の嵌合幅を最大の嵌合幅に調節した場合を示す。
【図８】本発明の実施形態４に係るエレベータのドア装置の一部の側断面図。
【図９】（ａ）（ｂ）は図８におけるIV-IV線に沿った断面図、（ａ）はシュー本体の嵌合幅を最小の嵌合幅に調節した場合、（ｂ）はシュー本体の嵌合幅を最大の嵌合幅に調節した場合を示す。
【図１０】本発明の実施形態５に係るエレベータのドア装置の一部の拡大図。
【発明を実施するための形態】
【００１４】
＜本発明の実施形態１＞
（エレベータのドア装置１０の構成）
図１から図３（ａ）に示すように、本発明の実施形態１に係るエレベータのドア装置１０は、エレベータ乗り場の出入口又は乗りかごの出入口に設置される。
【００１５】
エレベータ乗り場の出入口又は乗りかごの出入口に固定されたドアレール（図示省略）には、エレベータ乗り場の出入口又は乗りかごの出入口を開閉するドアパネル１２が懸架されている。また、ドアパネル１２は、その下端部側に、ドアパネル１２の開閉方向（ドアパネル１２のドア幅方向）である左右方向へ延びた被取付部材（相手側取付部）１４を一体的に有しており、この被取付部材１４の被取付面（上面）１４ａは、水平方向に対して平行になっている。
【００１６】
ドアパネル１２の下方には、左右方向（開閉方向）へ延びたシル１６がドアパネル１２に上下に対向して設けられている。また、シル１６の上面には、左右方向へ延びた矩形断面のシル溝１８が形成されている。なお、シル溝１８の断面形状を矩形形状にする代わりに、例えば逆Ｔ字形状等の矩形形状以外の形状に変更しても構わない。
【００１７】
ドアパネル１２の一部である被取付部材１４（被取付部材１４の被取付面１４ａ）には、ドアパネル１２の下端部を左右方向へ案内する複数（１つのみ図示）のガイドシュー２０が左右方向に間隔を置いて設けられている。各ガイドシュー２０の具体的な構成は、次のようになる。
【００１８】
図２及び図３（ａ）（ｂ）に示すように、各ガイドシュー２０は、被取付部材１４の被取付面１４ａに一対の止めネジ２２（取付具の一例）によって取付可能（固定可能）な断面Ｌ型のシュー取付部材２４を備えている。このシュー取付部材２４の取付面（下面）２４ａは、水平方向に対して平行になっている。また、シュー取付部材２４には、対応する止めネジ２２をそれぞれ挿通させるための一対の長穴２６が左右方向に離隔して形成されている。各長穴２６は、シル溝１８の溝幅方向（ドアパネル１２のドア奥行方向）である前後方向へ平行に延びている。更に、シュー取付部材２４は、その先端側に、上下方向（鉛直方向）へ延びた板状のシュー支持部材２８を一体的に有している。ここで、各止めネジ２２は、シュー取付部材２４を貫通し、被取付部材１４の下面に固定した固定ナット３０に螺合してある。なお、一対の長穴２６が平行でかつ各長穴２６が前後方向（溝幅方向）へ延びていれば、各長穴２６が前後方向に対して傾斜していても構わない。
【００１９】
シュー支持部材２８の下端部には、左右方向（開閉方向）へ延びたシュー本体（スライド部材）３２が設けられており、このシュー本体３２は、シル溝１８内に左右方向へ摺動可能に嵌合している。また、シュー本体３２の一方の側面３２ａは、シル溝１８の一方の壁面１８ａに摺接可能であって、シュー本体３２の他方の側面３２ｂは、シル溝１８の他方の壁面１８ｂに摺接可能である。シュー本体３２の外側部分（側面３２ａ，３２ｂを含む部分）は、フッ素樹脂等の摺動材からなっている。
【００２０】
各長穴２６と対応する止めネジ２２との間における長穴２６の短手方向の隙間（隙間の寸法）は、シュー取付部材２４を被取付部材１４に固定する前に、各ガイドシュー２０が前後方向（溝幅方向）へ移動しながら水平方向へ揺動できるように設定されている。換言すれば、各ガイドシュー２０は、シュー取付部材２４を被取付部材１４に固定する前に、各長穴２６と対応する止めネジ２２との間における長穴２６の短手方向の隙間（クリアランス）を利用して、前後方向へ移動しながら水平方向へ揺動できるように構成されている（特有の構成１）。
【００２１】
（作用及び効果）
続いて、本発明の実施形態１の作用及び効果について説明する。
【００２２】
各シュー取付部材２４を被取付部材１４に固定する前に、各止めネジ２２を緩めた状態で、各長穴２６と対応する止めネジ２２との間における長穴２６の短手方向の隙間を利用して、各ガイドシュー２０を前後方向へ移動させながら水平方向へ揺動させる。そして、各シュー取付部材２４の姿勢を保った状態で、各止めネジ２２を締め付けて、各シュー取付部材２４を被取付部材１４に固定する。これにより、シュー本体３２の嵌合幅を最小の嵌合幅（図３（ａ）参照）と最大の嵌合幅（図３（ｂ）参照）との範囲内で調節することができる。
【００２３】
つまり、各ガイドシュー２０が前述の特有の構成１を有しているため、ガイドシュー２０の部品点数の増加を抑えつつ、シュー本体３２の嵌合幅を簡単に調整することができる。よって、本発明の実施形態１によれば、エレベータのドア装置１０の構成の簡略化を図りつつ、シュー本体３２の嵌合幅の調節作業を短時間で行うことができる。
【００２４】
＜実施形態２＞
本発明の実施形態２について図４及び図５を参照して説明する。
【００２５】
（エレベータのドア装置３４の構成）
図４及び図５に示すように、本発明の実施形態２に係るエレベータのドア装置３４は、エレベータ乗り場の出入口又は乗りかごの出入口に設置されるものであって、一部を除き、本発明の実施形態１に係るエレベータのドア装置１０（図２参照）と同様の構成を有している。以下、エレベータのドア装置３４の構成のうち、エレベータのドア装置１０と異なる部分の構成についてのみ説明する。なお、エレベータのドア装置３４における複数の構成要素のうち、エレベータのドア装置１０における構成要素と対応するものについては、図面中に同一符号を付してある。
【００２６】
シュー取付部材２４が被取付部材１４に一対の止めネジ２２（図２参照）によって取付可能に構成する代わりに、１つの止めネジ２２によって取付可能になっている。また、シュー取付部材２４に一対の長穴２６（図３（ａ）参照）が形成される代わりに、シュー取付部材２４の中央部には、止めネジ２２を挿通させるための丸穴３６が形成されている。
【００２７】
各ガイドシュー２０が前述の特有の構成１を有する代わりに、丸穴３６と止めネジ２２との間における丸穴３６の径方向の隙間（隙間の寸法）は、シュー取付部材２４を被取付部材１４に固定する前に、各ガイドシュー２０が前後方向（溝幅方向）へ移動しながら止めネジ２２の周りを回転できるように設定されている。換言すれば、各ガイドシュー２０は、シュー取付部材２４を被取付部材１４に固定する前に、丸穴３６と止めネジ２２との間における丸穴３６の径方向の隙間（クリアランス）を利用して、前後方向へ移動しながら止めネジ２２の周りを回転できるように構成されている（特有の構成２）。
【００２８】
（作用及び効果）
従って、本発明の実施形態２においては、各シュー取付部材２４を被取付部材１４に固定する前に、止めネジ２２を緩めた状態で、丸穴３６と止めネジ２２との間における丸穴３６の径方向の隙間を利用して、各ガイドシュー２０を前後方向へ移動させながら止めネジ２２の周りを回転させる。そして、各シュー取付部材２４の姿勢を保った状態で、各止めネジ２２を締め付けて、各シュー取付部材２４を被取付部材１４に固定する。これにより、シュー本体３２の嵌合幅を最小の嵌合幅（図５（ａ）参照）と最大の嵌合幅（図６（ｂ）参照）との範囲内で調節することができる。
【００２９】
つまり、各ガイドシュー２０が前述の特有の構成２を有しているため、ガイドシュー２０の部品点数の増加を抑えつつ、シュー本体３２の嵌合幅を簡単に調整することができる。よって、本発明の実施形態２によれば、本発明の実施形態１と同様の効果を奏する。
【００３０】
＜実施形態３＞
本発明の実施形態３について図６及び図７を参照して説明する。
【００３１】
（エレベータのドア装置３８の構成）
図６及び図７に示すように、本発明の実施形態３に係るエレベータのドア装置３８は、エレベータ乗り場の出入口又は乗りかごの出入口に設置されるものであって、一部を除き、本発明の実施形態１に係るエレベータのドア装置１０（図２参照）と同様の構成を有している。以下、エレベータのドア装置３８の構成のうち、エレベータのドア装置１０と異なる部分の構成についてのみ説明する。なお、エレベータのドア装置３８における複数の構成要素のうち、エレベータのドア装置１０における構成要素と対応するものについては、図面中に同一符号を付してある。
【００３２】
シュー取付部材２４がその先端側にシュー支持部材２８（図２参照）を一体的に有する代わりに、上下方向（鉛直方向）へ延びかつ前後方向に離隔した棒状の一対のシュー支持部材４０を有している。また、各シュー支持部材４０は、調節ナット４２の回転操作によって各シュー支持部材４０の軸周りに回転調節可能に構成されている。
【００３３】
シュー支持部材２８の下端部にシュー本体３２（図２参照）が設けられる代わりに、各シュー支持部材４０の下端部の片側には、左右方向（溝幅方向）へ延びたシュー本体（スライド部材）４４が設けられており、各シュー本体４４は、シル溝１８内に左右方向へ摺動可能に嵌合している。また、一方のシュー本体４４の側面４４ａは、シル溝１８の一方の壁面１８ａに摺接可能であって、他方のシュー本体４４の側面４４ａは、シル溝１８の他方の壁面１８ｂに摺接可能である。各シュー本体４４の外側部分（側面４４ａを含む部分）は、フッ素樹脂等の摺動材からなっている。
【００３４】
（作用及び効果）
従って、本発明の実施形態３においては、各シュー取付部材２４を被取付部材１４に固定する前に、各止めネジ２２を緩めた状態で、各ガイドシュー２０を前後方向へ移動させながら水平方向へ揺動させる。そして、各シュー取付部材２４の姿勢を保った状態で、各止めネジ２２を締め付けて、各シュー取付部材２４を被取付部材１４に固定する。更に、各シュー支持部材４０をその軸回りに回転調節することにより、一方のシュー本体４４の側面４４ａ、他方のシュー本体４４の側面４４ｂを、シル溝１８の一方の壁面１８ａ、他方の壁面１８ｂにそれぞれ平行に対向させる。これにより、シュー本体４４（一対のシュー本体４４）の嵌合幅を最小の嵌合幅（図７（ａ）参照）と最大の嵌合幅（図７（ｂ）参照）との範囲内で調節することができる。
【００３５】
本発明の実施形態３によれば、本発明の実施形態１と同様の効果を奏する他に、一方のシュー本体４４の側面４４ａ、他方のシュー本体４４の側面４４ｂを、シル溝１８の一方の壁面１８ａ、他方の壁面１８ｂにそれぞれ平行に対向させているため、一方のシュー本体４４の側面４４ａとシル溝１８の一方の壁面１８ａとの接触面積、及び他方のシュー本体４４の側面４４ｂとシル溝１８の他方の壁面１８ｂとの接触面積を十分に確保して、シュー本体４４の摩耗を低減して、シュー本体４４の寿命を延ばすことができる。
【００３６】
なお、エレベータのドア装置３８に本発明の実施形態２の構成を適用しても構わない。
【００３７】
＜実施形態４＞
本発明の実施形態４について図８及び図９を参照して説明する。
【００３８】
（エレベータのドア装置４６の構成）
図８及び図９に示すように、本発明の実施形態４に係るエレベータのドア装置４６は、エレベータ乗り場の出入口又は乗りかごの出入口に設置されるものであって、一部を除き、本発明の実施形態３に係るエレベータのドア装置３８（図６及び図７参照）と同様の構成を有している。以下、エレベータのドア装置４６の構成のうち、エレベータのドア装置３８と異なる部分の構成についてのみ説明する。なお、エレベータのドア装置４６における複数の構成要素のうち、エレベータのドア装置３８における構成要素と対応するものについては、図面中に同一符号を付してある。
【００３９】
各シュー支持部材４０の下端部の片側だけでなく、各シュー支持部材４０の下端部の両側に亘ってシュー本体４４が設けられている。
【００４０】
（作用及び効果）
従って、本発明の実施形態４においては、本発明の実施形態３と同様に、一方のシュー本体４４の側面４４ａ、他方のシュー本体４４の側面４４ｂを、シル溝１８の一方の壁面１８ａ、他方の壁面１８ｂにそれぞれ平行に対向させた状態で、シュー本体４４（一対のシュー本体４４）の嵌合幅を最小の嵌合幅（図９（ａ）参照）と最大の嵌合幅（図９（ｂ）参照）との範囲内で調節することができる。
【００４１】
また、いずれかのシュー本体４４の片方の側面４４ａの摩耗量が大きくなった場合には、対応するシュー支持部材４０をその軸回りに回転調節することにより、いずれかのシュー本体４４の摩耗していない方の側面４４ａをシル溝１８の一方の壁面１８ａ又は他方の壁面１８ｂに平行に対向させる。
【００４２】
本発明の実施形態４によれば、本発明の実施形態３と同様の効果を奏する他に、いずれかのシュー本体４４の片方の側面４４ａの摩耗量が大きくなった場合には、いずれかのシュー本体４４のもう片方の側面４４ａをシル溝１８の一方の壁面１８ａ又は他方の壁面１８ｂに平行に対向させているため、シュー本体４４全体を有効利用して、シュー本体４４の寿命を更に延ばすことができる。
【００４３】
なお、エレベータのドア装置４６に本発明の実施形態２の構成を適用しても構わない。
【００４４】
＜実施形態５＞
本発明の実施形態５について図１０を参照して説明する。
【００４５】
（エレベータのドア装置４８の構成）
図１０に示すように、本発明の実施形態５に係るエレベータのドア装置４８は、エレベータ乗り場の出入口又は乗りかごの出入口に設置されるものであって、一部を除き、本発明の実施形態１に係るエレベータのドア装置１０（図２参照）と同様の構成を有している。以下、エレベータのドア装置４８の構成のうち、エレベータのドア装置１０と異なる部分の構成についてのみ説明する。なお、エレベータのドア装置４８における複数の構成要素のうち、エレベータのドア装置１０における構成要素と対応するものについては、図面中に同一符号を付してある。
【００４６】
ドアパネル１２がその下端部側に被取付部材１４（図２参照）を一体的に有する代わりに、左右方向（開閉方向）に離隔した一対（１つのみ図示）の被取付部材５０を一体的に有しており、各被取付部材５０の被取付面（下面）５０ａは、水平方向に対して傾斜している。また、各被取付部材５０には、左右方向（開閉方向）へ延びた一対のガイド長穴５２が形成されている。
【００４７】
被取付部材１４に複数のガイドシュー２０が設けられる代わりに、各被取付部材５０にガイドシュー２０が設けられている。また、シュー取付部材２４の取付面２４ａ（図２参照）が水平方向に対して平行に構成する代わりに、シュー取付部材２４の取付面（上面）２４ｂは、水平方向に対して傾斜している。更に、シュー取付部材２４が一対の止めネジ２２（図２参照）によって被取付部材１４の被取付面１４ａに取付可能に構成する代わりに、一対の取付ボルト５４によって被取付部材５０の被取付面５０ａに取付可能になっている。各取付ボルト５４は、対応するガイド長穴５２に左右方向へ移動可能に支持されており、各取付ボルト５４には、締結ナット５６が螺合してある。
【００４８】
（作用及び効果）
従って、本発明の実施形態５においては、本発明の実施形態１と同様の作用を奏する他に、各シュー取付部材２４を対応する被取付部材５０に固定する前に、各取付ボルト５４を緩めた状態で、各シュー取付部材２４を対応する被取付部材５０の被取付面５０ａに沿って左右方向へ移動させて、各シュー本体３２を上下方向へ変位（移動）させる。そして、各シュー取付部材２４の姿勢を保った状態で、各取付ボルト５４を締め付けて、各シュー取付部材２４を対応する被取付部材５０に固定する。これにより、シュー本体３２における上下方向の位置、換言すれば、シル溝１８の溝深さ方向の位置を調節することができる。
【００４９】
本発明の実施形態５によれば、本発明の実施形態１と同様の効果を奏する他に、シュー本体３２における溝深さ方向の位置を調節できるため、シュー本体３２を溝深さの異なる種々のシル溝１８内に適切に嵌合させることができ、エレベータのドア装置４８の汎用性（利用価値）を高めることができる。
【００５０】
なお、エレベータのドア装置４８に本発明の実施形態２から本発明の実施形態４の構成を適用しても構わない。
【００５１】
以上、本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００５２】
１０：ドア装置、１２：ドアパネル、１４：被取付部材、１４ａ：被取付面、１６：シル、１８：シル溝、１８ａ：一方の壁面、１８ｂ：他方の壁面、２０：ガイドシュー、２２：止めネジ（取付具）、２４：シュー取付部材、２４ａ：取付面、２４ｂ：取付面、２６：長穴、２８：シュー支持部材、３０：固定ナット、３２：シュー本体、３２ａ：一方の側面、３２ｂ：他方の側面、３４：ドア装置、３６：丸穴、３８：ドア装置、４０：シュー支持部材、４２：調節ナット、４４：シュー本体、４４ａ：側面、４６：ドア装置、４８：ドア装置、５０：被取付部材、５０ａ：被取付面、５２：ガイド長穴、５４：取付ボルト、５６：締結ナット
【要約】
【課題】  エレベータのドア装置１０の構成の簡略化を図りつつ、シュー本体３２の嵌合幅の調節作業を短時間で行うこと。
【解決手段】  ガイドシュー２０は、ドアパネル１２の被取付部材１４に止めネジ２２によって取付可能でかつ長穴２６が形成されかつ上下方向へ延びたシュー支持部材２８を有したシュー取付部材２４と、シュー支持部材２８の下端部に設けられかつ開閉方向へ摺動可能に嵌合したシュー本体３２と、を備え、シュー取付部材２４をドアパネル１２の被取付部材１４に固定する前に、長穴２６と止めネジ２２との間における長穴２６の短手方向の隙間を利用して、溝幅方向へ移動しながら水平方向へ揺動できるように構成されている。
【選択図】  図３【図１】
0005951821.tif 000002
【図２】
0005951821.tif 000003
【図３】
0005951821.tif 000004
【図４】
0005951821.tif 000005
【図５】
0005951821.tif 000006
【図６】
0005951821.tif 000007
【図７】
0005951821.tif 000008
【図８】
0005951821.tif 000009
【図９】
0005951821.tif 000010
【図１０】
0005951821.tif 000011